(57)【要約】【課題】鋼帯表面等の水分、油分の除去のために使用されるエヤーを得るための空気除湿機の運転のための電力節減を図る。【解決手段】空気除湿機１の入側の空気の露点を検出し、該検出値と目標値に基づき運転、停止を行うことを特徴とする空気除湿機の運転方法であり、また、運転、停止の目標値を低めに設定した空気除湿機の運転方法である。装置は、空気除湿機１の入口および出口に取付けられた入側空気配管２と出側空気配管３とを設けた空気除湿機１であって、該入側空気配管２の途中に設けられた露点計４と、該露点計４の値により空気除湿機１の運転、停止を行う起動・停止スイッチ５とを設けた空気除湿機１の運転装置であり、起動・停止スイッチ５と空気除湿機との間にタイマー７を設けても良い。【選択図】図１
2007260606.tif 000002
【特許請求の範囲】
【請求項１】
空気除湿機入側の空気の露点を検出し、該検出値と目標値に基づき運転、停止を行うことを特徴とする空気除湿機の運転方法。
【請求項２】
運転、停止の目標値を低めに設定したことを特徴とする請求項１に記載の空気除湿機の運転方法。
【請求項３】
空気除湿機の入口および出口に取付けられた入側空気配管と出側空気配管とを設けた空気除湿機であって、該入側空気配管の途中に設けられた露点計と、該露点計の値により空気除湿機の運転、停止を行う起動・停止スイッチとを設けたことを特徴とする空気除湿機の運転装置。
【請求項４】
起動・停止スイッチと空気除湿機との間にタイマーを設けたことを特徴とする請求項３に記載の空気除湿機の運転装置。
【発明の詳細な説明】
【技術分野】
【０００１】
本発明は、電力消費を節減した空気除湿機の運転方法および装置に関する。
【背景技術】
【０００２】
エヤー電磁弁やエヤーシリンダー等のエヤー機器は空気中の水分により動作不良を起こすことが一般的に知られており空気中の水分を除去する必要がある。
【０００３】
エヤー機器の容量が少さいか、あるいは使用頻度が低い等使用するエヤーが少量の場合は、水分をドレンとして排出する小型フィルターを用いれば十分であるが、エヤー機器の容量が大きい場合や使用頻度が高い、あるいはエヤーを連続噴射し続ける場合のように使用するエヤー量が大量の場合は空気除湿機により連続的に空気中の水分を除去する必要がある。
【０００４】
連続エヤー噴射の一例として、鋼帯の冷間圧延時に該鋼帯への水、油分の付着を防止するために、該鋼帯の表面にエヤーを連続噴出させる場合がある。
【０００５】
この場合、エヤー中の水分が多い場合にはコイルに巻取られた後、に鋼帯表面に錆が発生する場合があり、空気の除湿が特に重要となるが、通常空気除湿機による除湿がおこなわれる。
【０００６】
前記空気除湿機の除湿性能として周囲環境にもよるが、雰囲気最低温度においても鋼帯表面に結露させないように安全をみて雰囲気最低温度を−５℃〜−10℃に設定することが多い。
【０００７】
一方、空気除湿機としては、空冷式、水冷式が一般的であるが、原理はいずれも冷媒により空気を冷却し、空気中の水分を分離する方法である。
【０００８】
また、冷媒の圧縮や冷却には電動機が使用され、その容量は処理風量により異なるが
７．５KW〜２４０KWが一般的である。
【０００９】
空気除湿機の運転は、入側空気の状態に関わらず連続運転とする方法が一般的である。
例えば、冬季のように十分に乾燥した空気に対しても冷媒を圧縮・冷却するため、無駄な電力を消費する運転をしていることになる。
【００１０】
前述の空気除湿機の従来技術として特許文献１が開示されている。
特許文献１は、湿度条件や環境条件に関わらず無駄な電力損失を防止するため迅速な制御を目的として、湿度センサで室内空気の湿度を検出するようにし、最終目標湿度を第一の目標湿度６０％とすると、検出湿度が８０％以上のときは５０％とし、検出湿度が７０％以下のときは６０％の第二目標湿度を設定して除湿運転を行い、検出湿度が第二の目標湿度に達すると、第一目標湿度に変更して除湿運転を行うものであり、湿度制御の対象が家具、室内調度品にかかる室内用エヤコンに係る発明である。
【００１１】
特許文献２は、カメラ等を収納する保管庫の収納室を除湿するペルチエ素子とペルチエ素子給電回路を持つ制御手段と収納室の湿度を検出する室内湿度センサと外気の湿度を検出する室外湿度センサとを備えている。室内湿度センサで検出した収納室の検出湿度と目標湿度との差が大きなときにはペルチェ素子への印加電圧を大きく、差が小さいときにはペルチェ素子への印加電圧を小さくするように、制御素段はペルチエ素子への給電を制御するものである。
【００１２】
特許文献３は、温度、湿度を計測するセンサを用い、除湿機の動作帯域を低温部、中温部、高温部の運転モードにし、これらの運転モードを室温の変化により自動で切換えて除湿するものであり、湿度制御の対象は家具、室内調度品にかかる室内用エヤコンに係る発明である。
【００１３】
【特許文献１】特開平６−２８１２３３号公報
【特許文献２】特開平７−２６５６４４号公報
【特許文献３】特開２００３−２４０３０９号公報
【発明の開示】
【発明が解決しようとする課題】
【００１４】
本発明は、鋼帯表面の水、油分を除去するために噴射されるエヤーの空気除湿機の運転において、効率的に、かつ、消費電力の少ない運転方法および装置を提供することを課題とするものである。
【課題を解決するための手段】
【００１５】
第一の発明は、空気除湿機入側の空気の露点を検出し、該検出値と目標値に基づき運転、停止を行うことを特徴とする空気除湿機の運転方法である。
【００１６】
第二の発明は、運転、停止の目標値を低めに設定したことを特徴とする第一の発明に記載の空気除湿機の運転方法である。
【００１７】
第三の発明は、空気除湿機の入口および出口に取付けられた入側空気配管と出側空気配管とを設けた空気除湿機であって、該入側空気配管の途中に設けられた露点計と、該露点計の値により空気除湿機の運転、停止を行う起動・停止スイッチとを設けたことを特徴とする空気除湿機の運転装置である。
【００１８】
第四の発明は、起動・停止スイッチと空気除湿機との間にタイマーを設けたことを特徴とする第三の発明に記載の空気除湿機の運転装置である。
【発明の効果】
【００１９】
本発明は空気除湿機の入側空気露点を検出し、この値により除湿機の運転、停止を行うので、不要な空気除湿機の運転が防止され、運転のための電力を大幅に節減できる効果がある。
【発明を実施するための最良の形態】
【００２０】
空気除湿機の入側の結露する温度、即ち、露点により空気除湿機の起動、停止の制御を行うことを要旨とする。露点目標値は、露点上限値と空気除湿機運転値および空気除湿機停止値を設定し入側空気の露点を検出することにより前記露点上限値と空気除湿機運転値および空気除湿機停止値により空気除湿機を起動させ、出側の空気露点が一定値以下に低下したら空気除湿機の運転を停止するものである。
【００２１】
また、大型の空気除湿機のように煩雑な起動、停止が困難なケースでは、露点目標値を低めに設定してタイマーを併用して空気除湿機の起動、停止を行う。
【実施例１】
【００２２】
図１は、本発明に係る空気除湿機の運転方法および装置を示す実施例の系統図である。
図1において、１は空気除湿機、２は入側空気配管、３は出側空気配管、４は露点計、５は空気除湿機１の起動・停止スイッチ、６は制御ケーブルである。
【００２３】
入側空気露点を露点計４により検出し、入側空気露点が目標とする露点を超えている場合は、空気除湿機１を起動、運転し出側の空気が露点以下となるように制御する。
【００２４】
図2は本発明に係る出側空気露点Aを得る制御状態を説明するグラフであり、縦軸は入側空気露点値を、また横軸は時間値を表す。空気除湿機１は検出された入側空気露点値と露点上限値の間で運転され、出側空気露点値が下限目標値を下回った場合は、空気除湿機１を停止する。
【００２５】
図3は、従来のケースと本発明による空気除湿機１の制御運転との電力使用量を比較したグラフで、従来を１００とすると、本発明では５５で約４５％の節電が図られた。
【００２６】
図４は、本発明の他の実施例にかかり、図１と異なる点は空気除湿機１の起動・停止スイッチ５と空気除湿機１との間にタイマー７を設けたもので、この場合は空気除湿機１が大型の場合、煩雑な起動、停止の作動が困難な場合に有効である。
【００２７】
図５は、図４のタイマー７による出側空気露点Aを得る制御グラフを示し、空気除湿機１の運転、停止を行う入側空気露点値を低めに設定し制御した方が煩雑な起動、停止が防止できる。
【００２８】
図６は、本発明の他の実施例で起動・停止スイッチ５の信号で、空気除湿機１内の冷却ファン８を駆動する電動機９の回転を制御する方法で、空気量の制御に有効である。
【００２９】
図７は除湿に暖気運転を必要とするケースの制御グラフで、入側空気露点が除湿機暖気運転目標値に達した場合は、一定時間暖気運転を行い、本格的に空気除湿機の運転に入るようにしても良い。
【００３０】
図８は入側空気が冬季等乾燥して空気除湿機１が不要か、あるいは保守等で空気除湿機１内に入側空気を通すことが出来ない場合の対策を示す系統図で、自動弁１０を設けたバイパス１１を設けてものである。
【産業上の利用可能性】
【００３１】
鋼帯表面の油、水滴等の除去に使用される大型空気除湿機に適用され、電力消費の少ない運転が可能となった。また、一般的なエヤコンにも適用できる。
【図面の簡単な説明】
【００３２】
【図１】本発明の実施例を示す系統図である。
【図２】本発明に係る制御方法を示す制御グラフである。
【図３】本発明に係る除湿機の運転削減効果を示すグラフである。
【図４】本発明に係る起動・停止時にタイマーを設置した系統図である。
【図５】本発明に係る起動・停止させる露点を低めに設定した制御グラフである。
【図６】本発明に係る除湿機内の冷却ファンを制御する系統図である。
【図７】本発明に係る暖気運転を行う場合の制御グラフである。
【図８】本発明に係る除湿機をバイパスする例を示す系統図である。
【符号の説明】
【００３３】
１    除湿機
２    入側空気配管
３    出側空気配管
４    露点計
５    起動・停止スイッチ
６    制御ケーブル
７    タイマー
８    冷却ファン」
９    電動機
１０  自動弁
１１  バイパス
【図１】
2007260606.tif 000003
【図２】
2007260606.tif 000004
【図３】
2007260606.tif 000005
【図４】
2007260606.tif 000006
【図５】
2007260606.tif 000007
【図６】
2007260606.tif 000008
【図７】
2007260606.tif 000009
【図８】
2007260606.tif 000010